(57)【特許請求の範囲】
【請求項１】
被処理水中のコロイド粒子の凝集状態を検知する凝集状態検知装置において、
コロイド粒子を含む被処理水が一定速度で流される絶縁性直管と、
絶縁性直管に取り付けられ、絶縁性直管内に一定距離を隔てて配置された一対の電極と、
一対の電極に接続され、一対の電極間の被処理水に生じる電位差を計測する電位差計測計と、
一対の電極の近傍に配置され、電位差計測計に接続された一対の補助電極と、を備え、
電位差計測計は、一対の電極に基づいて計測された被処理水の電位差を、一対の補助電極に基づいて計測された電位差により修正し、この修正された電位差に基づいて被処理水中のコロイド粒子の凝集状態が検知されることを特徴とする凝集状態検知装置。
【請求項２】
絶縁性直管は、主としてアクリル樹脂または塩化ビニル樹脂からなることを特徴とする請求項１記載の凝集状態検知装置。
【請求項３】
絶縁性直管の内径は、１０ｍｍ以下であることを特徴とする請求項１または２のうちいずれか１項に記載の凝集状態検知装置。
【請求項４】
一対の電極は、主としてＡｇ、またはＡｕ、またはＰｔから成ることを特徴とする請求項１乃至３のうちいずれか１項に記載の凝集状態検知装置。
【請求項５】
電位差計測計は、流動電位検出用のエレクトロメーターであって、
エレクトロメーターは、１０６オーム以上の入力抵抗を有することを特徴とする請求項１乃至４のうちいずれか１項に記載の凝集状態検知装置。
【請求項６】
絶縁性直管の入口および出口のうち少なくと一方には、ホースニップルを介して搬送チューブが着脱自在に取り付けられていることを特徴とする請求項１乃至５のうちいずれか１項に記載の凝集状態検知装置。
【請求項７】
被処理水を一定速度で送ることができるチューブポンプをさらに備え、
被処理水は、チューブポンプにより絶縁性直管内を毎分１リットル以上であって毎分２０リットル以下の一定速度で流されることを特徴とする請求項１乃至６のうちいずれか１項に記載の凝集状態検知装置。
【請求項８】
電位差計測計に接続され、被処理水に注入される凝集剤の注入量を制御する凝集剤注入制御装置をさらに備え、
凝集剤注入制御装置は、電位差計測計からの被処理水の電位差に基づいて、被処理水への凝集剤の注入量を制御することを特徴とする請求項１乃至７のうちいずれか１項に記載の凝集状態検知装置。
【発明の詳細な説明】
【０００１】
【発明の属する技術分野】
本発明は、被処理水中のコロイド粒子の凝集状態を検知する凝集状態検知装置に関する。
【０００２】
【従来の技術】
河川からの原水等の被処理水を水道水に浄化するために、被処理水に凝集剤を注入して、被処理水の縣濁物質等のコロイド粒子を凝集させて沈殿除去する方法が知られている。特に、１０−４ｃｍ以下の径を有するコロイド粒子は、通常の沈殿処理や濾過処理では除去することができず、集塊させた後に沈殿除去する必要がある。
【０００３】
天然水中のコロイド粒子は、１０−４〜１０−５ｃｍ付近に主な粒子径分布を持つ粘土系の粗濁質と、１０−６〜１０−７ｃｍ付近に分布する天然有機着色物質の微コロイドが主体であり、人工汚濁河川等においては１０−６ｃｍ以下の有機物を多量に含んでいる。このようなコロイド粒子のほとんどは表面が負に帯電しているので、コロイド粒子相互間の負電荷同士の反発により、このようなコロイド粒子を含む被処理水は安定な分散縣濁系を構成している。
【０００４】
このようなコロイド粒子の表面電荷の強さは、コロイド粒子表面の溶液バルクに対する電位であるゼータ電位で−２０〜−３０ｍＶ程度の範囲に分布している。この表面電荷を反対電荷を持つコロイドやイオン等を系に添加して荷電中和を行い、その結果、縣濁粒子群のゼータ電位が大略±１０ｍＶ程度の範囲内に入るようにしてやると粒子間のファンデルワールス力が表面電荷の反発力を上回るようになってきて凝集を始める。このような作用を生じさせるコロイド粒子の電荷と反対電荷を有する微粒子を水中に生じさせるのが凝集剤であって、一般には、水中で容易に加水分解し、正電荷の金属酸化物のコロイドを生じるアルミニウム、鉄等の金属塩類が用いられる。
【０００５】
被処理水に凝集剤を注入して被処理水中のコロイド粒子を凝集させる操作は、まず、凝集剤が注入された被処理水を高い撹拌強度を持った急速混和池で比較的短時間に急速に撹拌する。その後、被処理水を緩やかに撹拌して、集塊を始めたコロイド粒子がさらに大きな集塊となるまで成長させる。そして、その後、沈殿処理や濾過処理によりこのようなコロイド粒子の集塊を被処理水から除去する。注入された凝集剤は、負電荷の粒子間に挟まれて正負電荷で引き合って結合を強化して、フロックの成長とともに増大するせん断破壊力に対向してフロックの結合を維持する結合剤としての作用を示す。
【０００６】
従って、フロックの形成は、表面電荷の中和が所定の値以下になっていることと、結合剤として作用する加水分解した金属コロイドが一定量存在すること、という２つの条件を満たした場合に行われることとなる。
【０００７】
ところで、被処理水中のコロイド粒子の凝集状態は、コロイド粒子を含む被処理水の光透過率や被処理水の流動電位やゼータ電位を計測して、経験則や予め設定された目標値との差異に基づいて決定されている。なお、流動電位（Streaming Potential）とは、コロイド粒子を含む被処理水を圧力差で毛細管内を移動させた時に、毛細管の両端近傍においた電極間に現れる電位差をいう。
【０００８】
被処理水の光透過率に基づくコロイド粒子の凝集状態の検知方法として、被処理水に光ビームを当てて透過光の状態を検知、解析する手法が一般的に知られている。
【０００９】
このように、被処理水の透過光に基づいてコロイド粒子の凝集状態を検知する場合には、透過光による凝集状態の分析は、Ｇｒｅｇｏｒｙの理論に基づいている（J.Gregory,J.of Colloid and Interface Science 105 357 (1985)）。測定法は、内径１ｍｍのガラス管中を透過するサンプル水に０．１ｍｍ幅で８２０ｎｍの光ビームを当て、この透過光を光ダイオードで検出するものである。サンプル水中に粒子を見出す確率は光ビーム中の粒子数の平方根に比例するので、光透過度の平均二乗平方根は粒子濃度の平方根に比例する。また、Ｇｒｅｇｏｒｙの理論をさらに発展させた理論（Y.Matsui et al.,Wat. Sci. Tech.,27 153 (1993)）は２波長による光分散分析法を開発し、大粒子径のコロイドは８６０ｎｍの光によって検出できるようにして、また、可溶性物質は２５３ｎｍの光によって検出できるようにしている。コロイド粒子の粒子径は、吸光度の平均値および平均二乗平方根から求めることができる。
【００１０】
他方、被処理水の流動電位やゼータ電位の計測に基づくコロイド粒子の凝集状態の検知方法では、流動電位計測手法として、ピストン型のフローセルをＳＣＤ（Streaming Current Detector）として用いる手法（12th National ISA Analysis Instruments Symposium,Houston,Tex.p181 (1996))が一般的に採られており、北米やヨーロッパの浄水場ではこの手法を用いた凝集状態検知装置が既に数百機配置されている(S.K.Dentel et al.,Wat.Res.,23 423 (1989))。
【００１１】
【発明が解決しようとする課題】
上述のように、被処理水中のコロイド粒子の凝集状態は、被処理水の光透過率や被処理水の流動電位やゼータ電位に基づいて決定されている。
【００１２】
しかしながら、被処理水中のコロイド粒子の凝集状態を被処理水の光透過率に基づいて決定する場合には以下のことが考えられる。
【００１３】
すなわち、被処理水の光透過率を計測する場合には、受光面が必要とされるが、光透過率の計測の際に受光面が被処理水により汚されて、被処理水の光透過率を正確に計測することができないということが考えられる。
【００１４】
また、被処理水中の縣濁物質等からなるコロイド粒子の凝集体の径は、一定せず変動するので、このようなコロイド粒子に基づく光散乱係数も変動する。被処理水の光透過率は、コロイド粒子に基づく光散乱係数の影響を大きく受ける。従って、コロイド粒子の状態によって、被処理水の光透過率を正確に計測することができない。
【００１５】
他方、被処理水中のコロイド粒子の凝集状態を被処理水の流動電位やゼータ電位に基づいて決定する場合には以下のことが考えられる。
【００１６】
すなわち、セル壁面の汚れの状態によって、検出される流動電位やゼータ電位が変わるので、被処理水の流動電位やゼータ電位を正確に計測することができないということが考えられる。このようなときには、セル壁面の汚れを落とすために、希釈された２〜３％程度の過酸化水素水を洗浄液として使用することが有効であることが知られている。しかしながら、洗浄の周期、洗浄時間は個々の水質に対応して調整する必要があり、操作が煩雑となることが考えられる。
【００１７】
また、ピストン型のフローセルをＳＣＤとして用いる場合には、ピストンの往復運動によりシリンダー壁面が劣化して、シリンダーと壁面の間隔が変動してしまうことがある。さらに、ピストン運動そのものが機械的劣化により変調をきたすことがある。
【００１８】
本発明はこのような点を考慮してなされたものであり、単純な方法で簡便に被処理水中のコロイド粒子の凝集状態を検知することができる凝集状態検知装置を提供することを目的とする。
【００１９】
【課題を解決するための手段】
本発明は、被処理水中のコロイド粒子の凝集状態を検知する凝集状態検知装置において、コロイド粒子を含む被処理水が一定速度で流される絶縁性直管と、絶縁性直管に取り付けられ、絶縁性直管内に一定距離を隔てて配置された一対の電極と、一対の電極に接続され、一対の電極間の被処理水に生じる電位差を計測する電位差計測計と、一対の電極の近傍に配置され、電位差計測計に接続された一対の補助電極と、を備え、電位差計測計は、一対の電極に基づいて計測された被処理水の電位差を、一対の補助電極に基づいて計測された電位差により修正し、この修正された電位差に基づいて被処理水中のコロイド粒子の凝集状態が検知されることを特徴とする凝集状態検知装置である。
【００２０】
本発明によれば、電位差計測計により計測される被処理水の流動電位に基づいて、被処理水中のコロイド粒子の凝集状態を検知することができる。従って、非常に単純かつ簡便に、被処理水中のコロイド粒子の凝集状態を検知することができる。
【００２１】
好ましくは、絶縁性直管は、主としてアクリル樹脂または塩化ビニル樹脂からなる。
【００２２】
好ましくは、絶縁性直管の内径は、１０ｍｍ以下である。
【００２３】
好ましくは、一対の電極は、主としてＡｇ、またはＡｕ、またはＰｔから成る。
【００２４】
好ましくは、電位差計測計は、流動電位検出用のエレクトロメーターであって、エレクトロメーターは、１０６オーム以上の入力抵抗を有する。
【００２５】
好ましくは、絶縁性直管の入口および出口のうち少なくと一方には、ホースニップルを介して搬送チューブが着脱自在に取り付けられている。
【００２６】
好ましくは、被処理水を一定速度で送ることができるチューブポンプをさらに備え、被処理水は、チューブポンプにより絶縁性直管内を毎分１リットル以上であって毎分２０リットル以下の一定速度で流される。
【００２７】
好ましくは、一対の電極の近傍には、電位差計測計に接続された一対の補助電極が配置され、電位差計測計は、一対の電極に基づいて計測された被処理水の電位差を、一対の補助電極に基づいて計測された電位差により修正する。
【００２８】
好ましくは、電位差計測計に接続され、被処理水に注入される凝集剤の注入量を制御する凝集剤注入制御装置をさらに備え、凝集剤注入制御装置は、電位差計測計からの被処理水の電位差に基づいて、被処理水への凝集剤の注入量を制御する。
【００２９】
【発明の実施の形態】
以下、図面を参照して本発明の一実施の形態について説明する。
【００３０】
図１乃至図３は本発明の一実施の形態を示す図である。ここで図１は被処理水中のコロイド粒子の凝集状態を検知する凝集状態検知装置を示す構成図である。図２は、凝集状態検知装置により検出された被処理水の流動電位と計測時間との関係を示す図であり、図３は、被処理水中のフロック粒子径と凝集剤（ポリ塩化アルミニウム）の注入量との関係を示す図である。
【００３１】
図１に示すように、本発明による凝集状態検知装置１は、コロイド粒子を含む被処理水が一定速度で流される絶縁性直管２と、絶縁性直管２に取り付けられ、絶縁性直管２内へ突出するように一定距離を隔てて配置された一対の電極１１とを備えている。
【００３２】
絶縁性直管２は、主としてアクリル樹脂からなっており、また、絶縁性直管２の内径は、１０ｍｍ以下に設定されている。これは、絶縁性直管２の内径が１０ｍｍ以下の毛細管となっていれば、絶縁性直管２内を流れる被処理水の流動電位を十分に検出することができることが、実験により確認されていることに基づくものである。従って、絶縁性直管２の内径は、１０ｍｍ以下の適当な値を選択することができる。
【００３３】
このような絶縁性直管２は、直管センサ支持台１３により支持されている。また、一対の電極１１は主としてＡｇからなっている。
【００３４】
一対の電極１１には第１導電線１１ａを介して流動電位検出用のエレクトロメータ３（電位差計測計）が接続され、エレクトロメータ３は一対の電極１１間の被処理水に生じる電位差（流動電位）を計測する。エレクトロメータ３には記録計４が取り付けられており、記録計４は、エレクトロメータ３から送られてくる信号に基づいて、被処理水の流動電位と計測時間との関係をペンレコーダーにて記録するようになっている。なお、エレクトロメータ３は、１０６オーム以上の入力抵抗を有する。
【００３５】
また、一対の電極１１の近傍には、Ａｇからなる一対の補助電極１２が配置され、この一対の補助電極１２は、第２導電線１２ａを介してエレクトロメータ３に接続されている。エレクトロメータ３は、一対の電極１１に基づいて計測された被処理水の電位差を、一対の補助電極１２に基づいて計測された被処理水の電位差により修正して、被処理水の流動電位を決定するようになっている。
【００３６】
絶縁性直管２の入口および出口には、ホースニップル１５を介して搬送チューブ１４が着脱自在に取り付けられており、絶縁性直管２の入口および出口のそれぞれに装着された搬送チューブ１４は貯水槽５に接続されている。
【００３７】
絶縁性直管２の入口と貯水槽５との間の搬送チューブ１４には、チューブポンプ６が取り付けられている。被処理水は、チューブポンプ６により、貯水槽５から搬送チューブ１４を経て絶縁性直管２へ一定速度で送られるとともに、絶縁性直管２内を一定速度で流される。なお、チューブポンプ６は、被処理水を貯水槽５から絶縁性直管２へ毎分１リットル（Ｌ）の速度で送るように設定されている。
【００３８】
また、絶縁性直管２の入口とチューブポンプ６との間の搬送チューブ１４には、貯水槽５から搬送チューブ１４を経て絶縁性直管２へ送られる被処理水の流量を計測する流量計７が取り付けられている。
【００３９】
また、貯水槽５には、凝集剤を充填した凝集剤槽８と、凝集剤槽８から貯水槽５内の被処理水に添加される凝集剤の添加量を調整する凝集剤添加バルブ９と、が設けられている。なお、凝集剤にはポリ塩化アルミニウム（ＰＡＣ）１６が用いられている。また、凝集剤添加バルブ９を調整することにより０．５〜１０ｍｇ／Ｌのポリ塩化アルミニウム１６を、適宜、貯水槽５内の被処理水に添加することができる。
【００４０】
エレクトロメータ３には凝集剤注入制御装置１０が接続されている。凝集剤注入制御装置１０は、エレクトロメータ３からの被処理水の流動電位に基づいて凝集剤添加バルブ９を調整し、凝集剤槽８から貯水槽５に注入されるポリ塩化アルミニウム１６の注入量を制御するものである。
【００４１】
なお、貯水槽５内には、水道水にコロイド粒子としてカオリンを５０ｍｇ／Ｌ溶かし、急速撹拌を１５０ｒｐｍで５分行い、緩速撹拌を５０ｒｐｍで１５分行った溶液を用いている。
【００４２】
次にこのような構成からなる本実施の形態の作用について説明する。
【００４３】
最初に、被処理水中のコロイド粒子の凝集状態の計測の概略について述べる。
【００４４】
まず、貯水槽５内の被処理水は、チューブポンプ６により、貯水槽５から搬送チューブ１４を経て絶縁性直管２に送られる。搬送チューブ１４を流れる被処理水の流量は流量計７により計測されている。
【００４５】
チューブポンプ６により絶縁性直管２に送られた被処理水は、絶縁性直管２内を毎分１リットルの速度で流れ、絶縁性直管２の入口から一対の電極１１を経て絶縁性直管２の出口へ流れる。
【００４６】
なお、絶縁性直管２内を流れる被処理水の流速は、上記に限定されるものではなく、絶縁性直管２の内径との関係をも考慮して、被処理水の流動電位を検出することができる流速を選択することができる。実験によれば、絶縁性直管２の内径が１０ｍｍの場合には被処理水の流速が毎分１リットルであれば、被処理水の流動電位を検出することができる。また、被処理水の流速を毎分２０リットル以上にすると、絶縁性直管２内の被処理水の流れが不安定となり流動電位に振動が生じるとともに、流動電位自体の絶対値が大きくなる。従って、内径が１０ｍｍ以下の絶縁性直管２を用いる場合には、チューブポンプは、被処理水が絶縁性直管内を毎分１リットル以上であって毎分２０リットル以下の一定速度で流されるように設定されることが好ましい。
【００４７】
この間、一対の電極１１間の被処理水の電位差が、一対の電極１１から第１導電線１１ａを介してエレクトロメータ３によって検出される。また、同時に、一対の電極１１近傍に配置された一対の補助電極１２間の被処理水の電位差が、一対の補助電極１２から第２導電線１２ａを介してエレクトロメータ３によって検出される。
【００４８】
エレクトロメータ３は、検出した一対の電極１１間の被処理水の電位差を、一対の補助電極１２間の被処理水の電位差により修正して、被処理水の流動電位を決定する。このようにして決定された被処理水の流動電位は、エレクトロメータ３から記録計４に送られる。
【００４９】
記録計４は、図２に示すように、エレクトロメータ３から送られてきた被処理水の流動電位と計測時間との関係を、ペンレコーダを用いて記録する。なお、図２のＡ領域は、貯水槽５内の被処理水にポリ塩化アルミニウム１６が添加されていない場合を示し、被処理水の流動電位は１５０ｍＶ付近で振動している。また、図２のＢ領域は、貯水槽５内の被処理水に３ｍｇ／Ｌのポリ塩化アルミニウム１６が添加された場合を示し、被処理水の流動電位は１３０ｍＶ付近で振動している。なお、絶縁性直管２内を被処理水で満たして被処理水を静止した場合の、被処理水の流動電位は１５〜２０ｍＶであった。
【００５０】
絶縁性直管２内を流れ絶縁性直管２の出口に到達した被処理水は、搬送チューブ１４を経て貯水槽５に返送される。
【００５１】
以上説明したようにして、貯水槽５内の被処理水の流動電位が、図２に示すように検出され、コロイド粒子の凝集状態が検知される。
【００５２】
図２のＡ領域とＢ領域を比較すると、貯水槽５内の被処理水に凝集剤であるポリ塩化アルミニウム１６を添加することにより、被処理水の流動電位は低下するものと考えられる。
【００５３】
他方、被処理水への凝集剤注入率と被処理水中に形成されるフロックの粒子径との関係を検討すると、実験より図３に示す結果が得られた。図３は、水道水にカオリンを５０ｍｇ／Ｌ溶かした被処理水に、ポリ塩化アルミニウム１６を加えて２５℃の下で撹拌回数を１２０ｒｐｍとした場合における、被処理水に注入されたポリ塩化アルミニウム１６のうちのアルミニウムの濃度と被処理水中に形成されるフロックの粒子径との関係を示すものである。図３より、被処理水中のフロックの粒子径は、凝集剤注入率が増加するほど、大きくなることが分かる。なお、水道水にカオリンを５０ｍｇ／Ｌ溶かした被処理水に、ポリ塩化アルミニウム１６を加えて２５℃の下で急速撹拌を１５０ｒｐｍで５分行い、緩速撹拌を５０ｒｐｍで１５分行った場合にも、同様の結果を得ることができた。
【００５４】
図２および図３より、被処理水中のフロックの粒子径が大きくなる程、被処理水の流動電位は低下することが分かる。これより、被処理水中のコロイド粒子の凝集が進行する程、被処理水の流動電位は低下するので、検出された被処理水の流動電位から、被処理水中のコロイド粒子の凝集状態を検知することができる。
【００５５】
また、喜多（電気化学の基礎,技法堂1980 P-147）によれば、流動電位Ｅｓは次式で与えられる。
【００５６】
Ｅｓ＝Ｉｓ・Ｒ＝−ε０εΔＰζ／ｋη
（ε０；真空中の誘電率、ε；溶液の誘電率、ΔＰ；圧力差、ζ；ゼータ電位、ｋ；溶液の比電気伝導度、η；溶液の粘性係数）
従って、流動電位はゼータ電位（ζ）に比例することとなる。ゼータ電位は、コロイド粒子表面の溶液すべり面の溶液バルクに対する電位であり、コロイド粒子の凝集が進んで不安定な状態においては溶液バルクの電位に等しくなるため、ほとんど零の値となる。このことからも、コロイド粒子の凝集が進むと流動電位の値は低下して、零に近づくようになることが分かる。
【００５７】
以上説明したように、被処理水中のコロイド粒子の凝集状態は、本発明による凝集状態検知装置１により検出された被処理水の流動電位から検知され、被処理水の流動電位が低下するほど、被処理水中のコロイド粒子の凝集が進行していることが分かる。従って、本発明による凝集状態検知装置１によれば、被処理水中のコロイド粒子の凝集状態を単純な方法で簡便に検知することができる。
【００５８】
また、凝集状態検知装置１は、非常に単純な構造を有するとともに安価に構成されるので、駆動部が複雑なため劣化するという現象はなく、また被処理水の光透過率を計測する場合に問題とされる受光面の汚れを考慮する必要がない。従って、本発明による凝集状態検知装置１は、安定した連続運転が可能となっている。
【００５９】
また、本実施の形態における絶縁性直管２はアクリル樹脂からなっている。アクリル樹脂は入手し易く、加工性に優れるので、良質の絶縁性直管２を得ることができる。また、アクリル樹脂は透明なので、絶縁性直管２内の汚れの状態を容易に知ることができる。
【００６０】
なお、絶縁性直管２の材質は、アクリル樹脂に限定されるものではなく、例えば、入手のし易さや加工性に優れる塩化ビニル樹脂からなる絶縁性直管２を用いた場合でも、凝集状態検知装置１として機能することが実験により確認されている。
【００６１】
また、一対の電極１１は主としてＡｇからなっている。一般に、Ａｇは水溶液中での電極電位の安定性に優れている。従って、一対の電極１１に基づく被処理水の流動電位を正確かつ安定に求めることができる。
【００６２】
なお、一対の電極１１の材質はＡｇに限定されるものではなく、ＡｕやＰｔも水溶液中での電極電位の安定性に優れているので、一対の電極１１の材質に用いることができる。ただし、一対の電極１１の材質にＡｇを用いた場合が、ＡｕやＰｔを用いた場合に比べて最も過電圧が低くなるので、一対の電極１１材質としてはＡｇが優れている。
【００６３】
また、一対の補助電極１２もＡｇからなっている。このため、一対の補助電極１２は水溶液中での電極電位の安定性に優れている。従って、一対の補助電極１２に基づく被処理水の電位差を正確かつ安定に求めることができる。なお、一対の補助電極１２の材質として、水溶液中での電極電位の安定性に優れているＡｇＣｌを用いてもよい。
【００６４】
また、絶縁性直管２の入口および出口は、ホースニップル１５を介して搬送チューブ１４が着脱自在に接続されているので、ホースニップル１５から搬送チューブ１４を自由に着脱して、絶縁性直管２と搬送チューブ１４とを分離することにより、絶縁性直管２内部の洗浄を容易に行うことができる。
【００６５】
また、被処理水は、チューブポンプ６により絶縁性直管２内を一定速度で流されるので、エレクトロメータ３は被処理水の流動電位を正確に求めることができる。
【００６６】
また、エレクトロメータ３は、１０６オーム以上の入力抵抗を有する。従って、エレクトロメータ３は、微少電流に基づく被処理水の流動電位を検出するのに十分な入力抵抗を有している。
【００６７】
さらに、被処理水への凝集剤の注入量は、凝集剤注入制御装置１０がエレクトロメータ３からの被処理水の流動電位に基づいて凝集剤添加バルブ９を適宜開閉することにより制御される。従って、適切な量の凝集剤が、被処理水のコロイド粒子の状態に応じて自動的に、被処理水に注入される。
【００６８】
【発明の効果】
以上説明したように、本発明の凝集状態検知装置によれば、電位差計測計により計測される絶縁性直管内を流れる被処理水の流動電位に基づいて、被処理水中のコロイド粒子の凝集状態を検知することができる。従って、非常に単純かつ簡便に、被処理水中のコロイド粒子の凝集状態を検知することができ、凝集状態検知装置を安価に構成することができる。
【図面の簡単な説明】
【図１】本発明による凝集状態検知装置を示す構成図である。
【図２】凝集状態検知装置により検出された被処理水の流動電位と計測時間との関係を示す図である。
【図３】被処理水中のフロック粒子径と凝集剤の注入量との関係を示す図である。
【符号の説明】
１  凝集状態検知装置
２  絶縁性直管
３  エレクトロメータ
４  記録計
５  貯水槽
６  チューブポンプ
７  流量計
８  凝集剤槽
９  凝集剤添加バルブ
１０  凝集剤注入制御装置
１１  一対の電極
１１ａ  第１導電線
１２  一対の補助電極
１２ａ  第２導電線
１３  直管センサ支持台
１４  搬送チューブ
１５  ホースニップル
１６  ポリ塩化アルミニウム
【図１】
0004331421.tif 000002
【図２】
0004331421.tif 000003
【図３】
0004331421.tif 000004